(57)【要約】【課題】ハンドル部と竿本体部との嵌合部に塩等の付着物が付いても、円滑な係合を可能にさせる。【解決手段】竿本体部１０とハンドル部２０とを着脱可能に接続する構造を有する釣竿であって、竿杆１２の後端部外周には、後端が開口になっている筒状部材１４が固定されており、該筒状部材の後端には係合部１４Ｋを設けており、竿杆の後端は前記筒状部材の後端から適宜寸法前方に位置しており、ハンドル部前端部は嵌合孔２２Ｈを有して開口しており、ここに筒状部材を挿入させて受け入れると共に、その内部には、竿本体部を挿入することで、筒状部材の後端の係合部と係合して、竿本体部が竿杆の中心軸線の周りに回動しないように拘束でき、また竿本体部を引き出せば係合が外れるハンドル側係合部２６Ｋを設けており、ハンドル部のネジ部ＮＢと螺合するナット部材ＮＴによって、竿本体部がハンドル部から抜け出ないように拘束するよう構成する。【選択図】図２
2012029611.tif 000002
【特許請求の範囲】
【請求項１】
竿杆を有する竿本体部と、少なくともリール装着部を有するハンドル部とを着脱可能に接続する構造を有する釣竿であって、
竿本体部の竿杆の後端部外周には、後端が開口になっている筒状部材が固定されており、該筒状部材の後端には係合部を設けており、竿杆の後端は前記筒状部材の後端から適宜寸法前方に位置しており、
ハンドル部の前端部は嵌合孔を有して開口しており、ここに前記筒状部材を挿入させて受け入れると共に、その内部には、前記竿本体部を挿入することで、筒状部材の後端の係合部と係合して、竿本体部が竿杆の中心軸線の周りに回動しないように拘束でき、また竿本体部を引き出せば係合が外れるハンドル側係合部を設けており、
ハンドル部の前端部外周に設けたネジ部と螺合するナット部材によって、竿本体部がハンドル部から抜け出ないように拘束する
ことを特徴とする釣竿。
【請求項２】
筒状部材の内側であって、該筒状部材の後端と竿杆の後端との間に環状部材を配設している請求項１記載の釣竿。
【請求項３】
前記ハンドル部のリール装着部が金属製の筒状本体部を有し、該筒状本体部の長さ範囲の途中に、接続された場合の竿杆の後端が位置している請求項１又は２記載の釣竿。
【発明の詳細な説明】
【技術分野】
【０００１】
本発明は、釣竿に関し、特に、船竿等のハンドル部と竿本体部とを分離可能に接続できる釣竿に関する。
【背景技術】
【０００２】
例えば下記特許文献１に開示のように、特に船竿においては、竿本体部とハンドル部とを分離可能に接続する釣竿が使用される。接続は雄雌の単なる差し込み接続ではなく、ナット部材を使用した螺合構造と回り止めとによる強固な接続構造が採用されている。これは船竿では一般に対象魚が大物であり、それに耐えられるように１本竿のように使用したいからである。しかし、運搬時の便利さや、竿本体部の調子変更やハンドル部の変更も可能にしたいため、竿本体部とハンドル部とを分離可能に構成している。
特許文献１のものは、ハンドル部側の孔型嵌合部の奥に設けられた回り止め部材の係合凸部に対し、竿本体部側の嵌合部である有底筒部の底部に設けている係合凹部が係合することで回り止めがなされる。
【先行技術文献】
【特許文献】
【０００３】
【特許文献１】特開２０００−２７０７２３号公報
【発明の概要】
【発明が解決しようとする課題】
【０００４】
しかし、海で使用の船竿では、分離や接続の作業を行う際に嵌合部に海水が付着し、これが乾くと塩粒子の付着となる。また、湖で使用の船竿にも嵌合部に汚れが付着することがある。更には、船竿に限らず、こうした塩粒子の付着やゴミ、汚れの付着は有り得る。こうした付着物が嵌合部面に存在すると、挿入継ぎ合わせの際、ハンドル部側の孔型嵌合部に竿本体部側の嵌合部である有底筒部を押し込んだ際、付着物は有底筒部によって擦り取られてハンドル部側嵌合部内に落ち込む。しかし、この付着物の堆積によって、回り止め部材の係合凸部と有底筒部の底部係合凹部との係合が浅くなったり、不十分な係合状態になったりして円滑な係合ができない事態を引き起こし得る。
依って解決しようとする課題は、ハンドル部と竿本体部との嵌合部に塩等の付着物が付いても、円滑な係合を可能にさせる釣竿を提供することである。
【課題を解決するための手段】
【０００５】
上記課題に鑑みて第１の発明は、竿杆を有する竿本体部と、少なくともリール装着部を有するハンドル部とを着脱可能に接続する構造を有する釣竿であって、竿本体部の竿杆の後端部外周には、後端が開口になっている筒状部材が固定されており、該筒状部材の後端には係合部を設けており、竿杆の後端は前記筒状部材の後端から適宜寸法前方に位置しており、ハンドル部の前端部は嵌合孔を有して開口しており、ここに前記筒状部材を挿入させて受け入れると共に、その内部には、前記竿本体部を挿入することで、筒状部材の後端の係合部と係合して、竿本体部が竿杆の中心軸線の周りに回動しないように拘束でき、また竿本体部を引き出せば係合が外れるハンドル側係合部を設けており、ハンドル部の前端部外周に設けたネジ部と螺合するナット部材によって、竿本体部がハンドル部から抜け出ないように拘束することを特徴とする釣竿を提供する。
【０００６】
第２の発明は、第１の発明の筒状部材の内側であって、該筒状部材の後端と竿杆の後端との間に環状部材を配設しているよう構成する。
第３の発明では、第１の発明か第２の発明の前記ハンドル部のリール装着部が金属製の筒状本体部を有し、該筒状本体部の長さ範囲の途中に、接続された場合の竿杆の後端が位置しているよう構成する。
【発明の効果】
【０００７】
第１の発明では、ハンドル部前端部の嵌合孔に竿本体部を挿入して行く際に、付着物が擦り取られながらハンドル部の奥に押しやられても、竿本体部後端部には後端が開口になっている筒状部材が設けられているため、付着物はこの開口から筒状部材内に入ることができ、竿杆の後端と筒状部材の後端との間の空間に収容できる。従って、両係合部は円滑に係合できる。
【０００８】
第２の発明では、環状部材は、その肉厚を適宜選択すれば、竿杆が管状材の場合に、竿杆後端の眼隠しとすることができる。また、環状部材を筒状部材後端係合部近傍の補強材とすることもできる。
【０００９】
本発明に係る接続構造においては不可避であって、筒状本体部の途中で竿杆が終端しており、この終端部近傍の筒状本体部は撓み荷重に対して弱くなるが、第３の発明では、ハンドル部のリール装着部の筒状本体部を金属製（例えばステンレス製）としているため、一般的プラスチック製筒状本体と比較すれば、撓みや潰れに対して強くて変形し難く、耐久性がある。
【図面の簡単な説明】
【００１０】
【図１】本発明に係る釣竿の側面図である。
【図２】図１の矢印で示す範囲の要部拡大縦断面図である。
【図３】図２の矢視線Ｃ−Ｃによる横断面図である。
【図４】図２に対応する部分の分離状態の図である。
【図５】図２に対応する第２実施形態例の図である。
【図６】図２に対応する第３実施形態例の図である。
【発明を実施するための形態】
【００１１】
以下、本発明を添付図面を用いて更に詳細に説明する。図１〜図４を参照して第１実施形態例を説明する。リール装着部と後部グリップＧＰ１とを有するハンドル部２０と、前側グリップＧＰ２を有する竿本体部１０とを分離可能に接続して船竿である釣竿を構成している。竿本体部１０は、エポキシ樹脂等の合成樹脂マトリックスを炭素繊維等の強化繊維で強化した繊維強化樹脂製の竿杆１２であり、この後端部外周には、筒状部材１４を接着等によって固定している。
【００１２】
この筒状部材１４は金属や合成樹脂や繊維強化樹脂、その他の適宜材で製作でき、竿杆後端は筒状部材後端よりも適宜寸法前側に位置しており、その結果、竿杆後端と筒状部材後端との間に空間ＳＰを有している。また、竿杆１２はこの例では中空であるが、中実であってもよい。中空竿杆の場合はその中空も本願の空間ＳＰの一部となり得る。また、本発明では中実竿杆であっても空間ＳＰが確保される。更に、ハンドル部２０と竿本体部１０とを接続させた際にハンドル部の先端近傍に位置する筒状部材１４の外周位置に、径方向に凸な停止部１４Ｔが、環状形態やその他円周方向に飛び飛びの形態で設けられている。ナット部材ＮＴはこの停止部１４Ｔの前側に位置しており、この停止部を越えて後側には移動できないよう規制されている。
【００１３】
また、筒状部材１４の後端には、この例では互いに１８０度径方向反対側に図４に明示されているＶ字状の切欠きを１対形成しており、ここを竿本体側の係合部１４Ｋとしている。その他、竿本体部１０には釣糸ガイドＧが設けられている。この例では、各釣糸ガイドＧは、前記１対の切欠き１４Ｋ同士を結ぶラインに対して直交する方向の角度位置に設けている。
【００１４】
ハンドル部２０のリール装着部は、この例では、ステンレスやチタン合金等の金属製であるが、プラスチック製等、適宜な材質でもよい筒状本体部２２を有し、このリール載置面ＲＳ側には、後側に固定フードＦ１、前側に移動フードＦ２が配設されている。移動フードは、筒状本体部２２の前側領域外周に設けられたねじ部ＮＢと螺合するダブルナットＮ１，Ｎ２によって移動並びに固定される。また、前後フードの間位置の筒状本体部２２の内部には、接着等の適宜手段によって受止部材２６が固定されており、その前面には前記竿本体側の係合部１４Ｋと係合できるハンドル側の係合部２６Ｋ（この例では三角柱形状）が突出している。
筒状本体部２２の後端側には、プラスチック材等の適宜な材料による管状部材２４を挿入固定し、この外側に後部グリップＧＰ１を設けている。
【００１５】
以上のように構成した竿本体部１０の筒状部材１４を、ハンドル部２０の筒状本体部２２の前側部の嵌合孔２２Ｈに挿入することで互いの係合部１４Ｋと２６Ｋとを係合させて竿本体部１０の回転止めとし、更に、竿本体部１０側に遊嵌状に保持しているナット部材ＮＴを、ハンドル部２０の筒状本体部２２のねじ部ＮＢに螺合させる。筒状部材１４の外径は嵌合孔２２Ｈの内径よりも極僅かに小さいだけで、実質的には同じ径と言える。これによってナット部材ＮＴの前端フランジ部の後側面が前記停止部１４Ｔをハンドル部側に押圧しつつ、前記螺合によってハンドル部２０を引き寄せるため、竿本体部１０とハンドル部２０とを強固に接続できる。
【００１６】
この接続における竿本体部１０のハンドル部２０への挿入時に、筒状部材１４の外表面や筒状本体部２２の嵌合孔２２Ｈ、特に後者に、塩、微小砂、ゴミ等が付着していても、それらを擦り落としつつ押し込む。それらの付着物は、筒状部材１４の後端開口から既述の空間ＳＰに入ることができるため、これらの付着物の堆積によって両係合部１４Ｋ，２６Ｋの係合が不能になったり、不十分になることが防止される。また、釣竿の仕舞時には、ナット部材ＮＴの螺合を外して竿本体部１０を引き抜けば図４の状態になる。
【００１７】
以上の第１実施形態例では、ハンドル部側の係合部は、筒状本体部２２の中に収納配設された受止部材２６の係合部２６Ｋであるが、例えば、筒状本体部２２の外側から内側へ径方向にピン状物を差し込んでこれを保持し、このピン状物に竿本体部１０側の係合部１４Ｋを係合させることもできる。また、竿本体部１０側の係合部１４Ｋは凹部であり、ハンドル部２０側の係合部２６Ｋは凸部であるが、この凹凸が逆であったり、或いは、互いに複数の凹凸からなる係合部同士としてもよい。更には、ハンドル部に前側グリップを配置し、竿本体部から前側グリップを無くした形態でもよい。
【００１８】
次に、図５の第２実施形態例を第１実施形態例と異なるところを主に説明する。竿本体部１０の筒状部材１４の後端と竿杆１２の後端との間空間に環状部材１８を配設し、接着固定している。この環状部材１８の肉厚を竿杆１２の肉厚よりも厚くして筒状部材１４の後端の切欠き係合部１４Ｋ付近を補強したり、また、竿本体部１０をハンドル部２０から分離させた際に、竿本体部の後端側から、内部の竿杆１２後端が視認できるが、これが薄肉の場合、安っぽく見え、これは意外に美観を損なう。そこで、竿杆後端が視認できないように竿杆よりも肉厚の厚い（内径の小さな）環状部材１８を配設することは意義深い。また、環状部材１８の後側端面を適宜な色に着色したり、例えば、この環状部材をステンレス等の金属で形成したり、その他美観を感じる色合いや素材のプラスチック材料を使用することもできる。
【００１９】
図６の第３実施形態例を第２実施形態例と異なるところを主に説明する。図６の環状部材１８’は図５の環状部材１８よりも長さが長く、外側の筒状部材１４の係合部１４Ｋの切欠きが、この環状部材１８にも及んでいる。このため、空間ＳＰはこの環状部材１８’の内部空間となる。作用効果は図５の場合と同じである。
【産業上の利用可能性】
【００２０】
本発明は、船竿等、ハンドル部と竿本体部とを分離可能に接続する釣竿に利用できる。
【符号の説明】
【００２１】
１０                        竿本体部
１２                        竿杆
１４                        管状部材
１４Ｋ                      係合部
１８                        環状部材
２０                        ハンドル部
２２                        筒状本体部
２６Ｋ                      ハンドル部側係合部
ＳＰ                        空間
【図１】
2012029611.tif 000003
【図２】
2012029611.tif 000004
【図３】
2012029611.tif 000005
【図４】
2012029611.tif 000006
【図５】
2012029611.tif 000007
【図６】
2012029611.tif 000008